(57)【要約】【課題】撮像装置内の温度上昇を抑えて、防音効果を高める防音・放熱構造を有する撮像装置を提供すること。【解決手段】内部に近接した音源と熱源を有した筺体と、熱伝導性を有した第１の部材と、遮音性を有した第２の部材と、熱伝導性を有した第３の部材と、第１〜３の部材を組み合わせて形成された防音・放熱構造体が、筺体内部の音源から発生する騒音を低減し、筺体内の温度上昇を抑える防音・放熱構造を有する撮像装置において、防音・放熱構造体は、筺体内部の音源に近接する側から順に、第１の部材と第２の部材、第３の部材で構成され、防音・放熱構造体は、筺体内部の熱源に近接する範囲のみ、第１の部材と第３の部材から構成され、第１の部材の熱伝導率は、第３の部材の熱伝導率より高く、第１の部材の面密度は、第３の部材の面密度と異なり、筺体内部の熱源と第１の部材は直接、または熱伝導性部材を介して接触することを特徴とする。 【選択図】図２
2016206364.tif 000002
【特許請求の範囲】
【請求項１】
内部に近接した音源（２００）と熱源（３００）を有した筺体（１００）と、
熱伝導性を有した第１の部材（４０１）と、
遮音性を有した第２の部材（４０２）と、
熱伝導性を有した第３の部材（４０３）と、
前記第１〜３の部材を組み合わせて形成された防音・放熱構造体（４００）が、
前記筺体（１００）内部の音源（２００）から発生する騒音を低減し、前記筺体（１００）内の温度上昇を抑える防音・放熱構造を有する撮像装置において、
前記防音・放熱構造体（４００）は、前記筺体（１００）内部の音源（２００）に近接する側から順に、第１の部材（４０１）と第２の部材（４０２）、第３の部材（４０３）で構成され、
前記防音・放熱構造体（４００）は、前記筺体（１００）内部の熱源（３００）に近接する範囲のみ、前記第１の部材（４０１）と前記第３の部材（４０３）から構成され、
前記第１の部材（４０１）の熱伝導率は、前記第３の部材（４０３）の熱伝導率より高く、
前記第１の部材（４０１）の面密度は、前記第３の部材（４０３）の面密度と異なり、
前記筺体（１００）内部の熱源（３００）と前記第１の部材（４０１）は直接、または熱伝導性部材（３０１）を介して接触していることを特徴とする撮像装置。
【請求項２】
前記第１の部材（４０１）の熱伝導率は、前記筺体（１００）の熱伝導率よりも高いことを特徴とする請求項１に記載の撮像装置。
【請求項３】
前記第１の部材（４０１）は複数の貫通孔（４０４）を有していることを特徴とする請求項１又は請求項２に記載の撮像装置。
【請求項４】
前記第１の部材（４０１）は銅、前記第３の部材（４０３）はアルミ二ウム、前記筺体（１００）はマグネシウムであることを特徴とする請求項１乃至請求項３の何れか一項に記載の撮像装置。
【請求項５】
前記第２の部材（４０１）は吸音性の高い弾性気密材で構成されていることを特徴とする請求項１乃至請求項４の何れか一項に記載の撮像装置。
【請求項６】
前記防音・放熱構造体（４００）は放熱器（５００）を有しており、前記放熱器（５００）は放熱フィン（５０１）を有することを特徴とする請求項１乃至請求項５の何れか一項に記載の撮像装置。
【請求項７】
前記放熱器（５００）は、前記第１の部材（４０１）に係止されることを特徴とする請求項１乃至請求項６の何れか一項に記載の撮像装置。
【請求項８】
前記放熱器（５００）は、前記筺体（１００）に係止される外装（６００）に備えられるグリップ（６０１）と離れた位置に設置されていることを特徴とする請求項１乃至請求項７の何れか一項に記載の撮像装置。
【発明の詳細な説明】
【技術分野】
【０００１】
本発明は、一眼レフカメラ等の撮像装置に関し、特に音及び熱を発生する撮像装置において、遮音と放熱を両立させた防音・放熱構造を有する撮像装置に関する。
【背景技術】
【０００２】
従来、撮像装置を含めた電子装置から発生する音を遮音し、熱を放熱する方法の一例として、特許文献１に開示されたような方法がある。
【０００３】
この方法では、放熱部材は内部が遮音部材で充填されている中空状の部材となっており、これらの部材によって電子装置の全面を覆い、電子装置と筐体との間に密着固定することで防音能力のある構造となっている。また、放熱部材は材質が熱伝導率の良い金属製で、内部に熱伝導性の高いヒートパイプが埋め込まれているため、熱伝導の流れが確保でき、放熱能力のある構造となっている。従って、防音効果と放熱効果を合わせ持つ構造となっている。
【先行技術文献】
【特許文献】
【０００４】
【特許文献１】特開２００１−３０８５６７ 号公報
【発明の概要】
【発明が解決しようとする課題】
【０００５】
しかしながら、上述の特許文献1に開示された従来技術では、次のような課題があった。放熱部材と遮音部材は、電子装置のいずれの方向の面に対しても一様の構成となるため、電子装置内のある領域に集中的に熱源が配置されている場合、熱源付近にヒートスポットが発生しやすく、望ましくない。また、一般的に遮音において面密度（単位面積当たりの質量）が異なれば、音が物体を透過する際に損失される周波数域が変化することが知られている。しかし、遮音部材が中空状の放熱部材の内部に充填されている構成では、電子装置から筺体までの断面は３層であるにも関わらず、構成される材料は放熱部材と遮音部材の２種類となっているため、遮音できる周波数が少ない。
【０００６】
そこで、本発明の目的は、撮像装置内に集中的に熱源が配置されている場合であっても、効率的に放熱を行い、また、遮音できる周波数を増やすことで、撮像装置内の温度上昇を抑えて、防音効果を高める防音・放熱構造を有する撮像装置を提供することにある。
【課題を解決するための手段】
【０００７】
上記の目的を達成するために、本発明は、
内部に近接した音源（２００）と熱源（３００）を有した筺体（１００）と、
熱伝導性を有した第１の部材（４０１）と、
遮音性を有した第２の部材（４０２）と、
熱伝導性を有した第３の部材（４０３）と、
前記第１〜３の部材を組み合わせて形成された防音・放熱構造体（４００）が、
前記筺体（１００）内部の音源（２００）から発生する騒音を低減し、前記筺体（１００）内の温度上昇を抑える防音・放熱構造を有する撮像装置において、
前記防音・放熱構造体（４００）は、前記筺体（１００）内部の音源（２００）に近接する側から順に、第１の部材（４０１）と第２の部材（４０２）、第３の部材（４０３）で構成され、
前記防音・放熱構造体（４００）は、前記筺体（１００）内部の熱源（３００）に近接する範囲のみ、前記第１の部材（４０１）と前記第３の部材（４０３）から構成され、
前記第１の部材（４０１）の熱伝導率は、前記第３の部材（４０３）の熱伝導率より高く、
前記第１の部材（４０１）の面密度は、前記第３の部材（４０３）の面密度と異なり、
前記筺体（１００）内部の熱源（３００）と前記第１の部材（４０１）は直接、または熱伝導性部材（３０１）を介して接触していることを特徴とする。
【発明の効果】
【０００８】
本発明によれば、撮像装置内の温度上昇を抑えて、防音効果を高める防音・放熱構造を有する撮像装置を提供することができる。
【図面の簡単な説明】
【０００９】
【図１】本発明の実施例におけるカメラの全体構成を説明する概略図
【図２】本発明の実施例における防音・放熱構造の分解図
【図３】本発明の実施例における防音・放熱構造の正面図
【図４】本発明の実施例における防音・放熱構造を取り除いた状態の正面図
【図５】本発明の実施例における防音・放熱構造のＡ−Ａ断面図
【図６】本発明の実施例における熱源（モーター）
【図７（Ａ）】本発明の実施例における防音・放熱構造のＢ−Ｂ断面図
【図７（Ｂ）】本発明の実施例における防音・放熱構造のＢ−Ｂ断面図
【図８】本発明の実施例における防音・放熱構造のＣ−Ｃ断面図
【図９】本発明の実施例におけるカメラ外観の正面図
【発明を実施するための形態】
【００１０】
以下、本発明のカメラの実施の形態について図面を参照しながら説明する。本実施形態におけるカメラは、銀塩フィルムを用いた一眼レフスチルカメラ或いはＣＣＤやＭＯＳ型等の個体撮像素子を用いたデジタル一眼レフカメラ（以下、Ｄ−ＳＬＲ）に適用される。
【００１１】
図１は本発明の実施形態におけるＤ−ＳＬＲの内部の全体構成を説明する概略図である。
【００１２】
図１において、１０は撮影レンズ、１１はメインミラー、１２はサブミラー、１３はフォーカシングスクリーン、１４は焦点検出装置、１５は撮像素子、１６はミラーボックス、１７はペンタプリズム、１８は接眼レンズ、１９は測光装置、２０はシャッター装置である。撮影レンズ１０はＤ−ＳＬＲ本体に着脱可能に構成されている。
【００１３】
撮影レンズ１０によって、被写体像は結像面に結像する。撮影レンズ１０は、不図示のレンズ駆動装置、露出制御を行うための絞り羽根群、およびこの絞り羽根群を駆動する絞り駆動装置等から構成されている。
【００１４】
メインミラー１１は、ハーフミラーで構成され、ミラーダウン状態となるときに、撮影レンズ１０により結像される被写体像をフォーカシングスクリーン１３に向けて反射させる。このとき、メインミラー１１は、被写体像の一部をサブミラー１２に向けて透過させる。サブミラー１２はメインミラー１１を透過した被写体像の一部を焦点検出装置１４に向けて反射させる。
【００１５】
メインミラー１１は、不図示のミラー駆動機構によって駆動されることで、撮像光路内に位置して、被写体像をフォーカシングスクリーン１３に導くミラーダウン状態と、撮像光路内から退避して、被写体像を撮像素子１５に導くミラーアップ状態とに遷移する。
【００１６】
サブミラー１２は、メインミラー１１がミラー駆動機構によって駆動されることに連動して変位する。具体的には、メインミラー１１がミラーダウン状態となるときに、サブミラー１２は、メインミラー１１を透過した被写体像を焦点検出装置１４に導く。一方、メインミラー１１がミラーアップ状態となるときに、サブミラー１２は、メインミラー１１とともに撮像光路内から退避する。
【００１７】
ミラーボックス１６は、不図示のミラー駆動機構やミラー角度調整板を固定するメインフレームとなる。
【００１８】
ペンタプリズム１７は、フォーカシングスクリーン１３に結像した被写体像を正立正像に変換して反射する。
【００１９】
接眼レンズ１８は、ペンタプリズム１７で正立正像に変換して反射された被写体像を撮影者の目に到達させる。
【００２０】
測光装置１９は、フォーカシングスクリーン１３に結像した被写体像の輝度をペンタプリズム１７を介して測定し、算出した出力信号に基づき、シャッター装置２０と前述の絞り駆動装置を駆動して、露光時の露出制御を行う。
【００２１】
焦点検出装置１４は被写体像のデフォーカス量を検出する。焦点検出装置１４の出力信号に基づき、撮影レンズ１０のレンズ駆動装置が制御され、焦点調節が行われる。
【００２２】
シャッター装置２０は、被写体像の結像面への入射を機械的に制御する。
【００２３】
撮像素子１５は、撮影レンズ１０により結像された被写体像を撮像して電気信号に変換する。この撮像素子１５には、ＣＣＤ型、ＣＭＯＳ型等の２次元型撮像デバイスが用いられている。
【００２４】
次に、本実施形態のＤ−ＳＬＲにおける撮影動作について説明する。
【００２５】
撮影前、撮影レンズ１０から入射した被写体像は、メインミラー１１、フォーカシングスクリーン１３、ペンタプリズム１７、接眼レンズ１８を介して撮影者が確認できる状態となる。このとき、被写体像の一部はサブミラー１２を介して焦点検出装置１４に入射する。撮影者のスイッチ動作により、焦点検出装置１４にて検出されたデフォーカス量に応じて撮影レンズ１０のレンズ駆動が行われ、焦点を合わせることが可能となっている。また、測光装置１９にて被写体輝度を測定し、レンズ絞り値とシャッター露出時間が決定される。
【００２６】
撮影者のレリーズ動作により撮影が行われる際は、メインミラー１１およびサブミラー１２が撮影光路から上方へ退避し、シャッター２０の羽根が開口し、撮像素子１５へ被写体像が入射する。適正露出時間が経過したのちシャッター装置２０の羽根が画枠開口部を遮蔽し、メインミラー１１およびサブミラー１２が撮影光路内に復帰し、撮影動作が完了となる。
【００２７】
続いて、図２〜図９を用いて、本発明の実施の形態について説明する。図２は本発明の実施例における防音・放熱構造の分解図、図３は防音・放熱構造の正面図、図４は防音・放熱構造を取り除いた状態の正面図、図５は本発明の実施例における防音・放熱構造のＡ−Ａ断面図、図６は熱源（モーター）、図７は防音・放熱構造のＢ−Ｂ断面図、図８は防音・放熱構造のＣ−Ｃ断面図、図９はカメラ外観の正面図である。
【００２８】
まず、図２〜４を用いて本発明の実施例における防音・放熱構造の構成を説明する。図２において、１００はカメラ筺体、４００は防音・放熱構造体、５００は放熱器である。防音・放熱構造体４００は、第１の部材４０１、第２の部材４０２、第３の部材４０３で構成される。図３は防音・放熱構造の正面図であり、図４は図３から防音・放熱構造体４００を取り除いた状態の正面図である。図４において、２００はカメラ筺体１００の内部に設置された音源であり、例えば、シャッター装置２０を駆動させるメカ機構である。３００はカメラ筺体１００の内部に設置された熱源であり、例えば、シャッター装置２０を駆動するために必要なモーターである。図４のように、本発明の実施例におけるカメラ筺体内では、音源２００と熱源３００は近接して設置されていることが多い。
【００２９】
次に、図２を用いて防音・放熱構造体４００を説明する。第１の部材４０１は、熱伝導性を有した部材である。第２の部材４０２は、遮音性を有した部材である。第３の部材４０３は、第１の部材４０１と同じく、熱伝導性を有した部材である。第１の部材４０１と第３の部材４０３の間に、第２の部材４０２を狭持し、第３の部材４０３をカメラ筺体１００に係止することで、防音・放熱構造体４００はカメラ筺体１００に固定される。このように、第１〜３の部材はカメラ筺体１００の内部に近接する側から、第１の部材４０１、第２の部材４０２、第３の部材４０３の順に構成される。このとき、カメラ筺体１００の内部に設置された音源２００は、カメラ筺体１００及び防音・放熱構造体４００によって形成される空間に密閉されるため、一定の防音効果が得られる。
【００３０】
図５は図３において防音・放熱構造体４００が熱源３００から比較的離れているＡ−Ａ断面図である。本実施例におけるカメラ筺体１００の内部の音源２００と熱源３００の位置は図４に示している。図５において、防音・放熱構造体４００の断面は第１の部材４０１と第２の部材４０２、第３の部材４０３の３層で構成されている。このとき、第２の部材は、吸音性の高い弾性気密材であることが望ましい。さらに、第１の部材４０１と第３の部材４０３の面密度は異なるように構成されている。ここで、面密度とは単位面積当たりの質量のことを示す。一般的に、遮音において面密度が異なれば、音が物体を透過する際に損失される周波数域が変化することが知られている。そのため、第１の部材４０１と第３の部材４０３の面密度を異なるように構成することで、カメラ筺体１００の内部に設置された音源２００から、カメラ筺体１００の外部へと伝わる音の周波数域の中で、遮音できる周波数の数を増やすことができる。面密度を変えるには、第１の部材４０１と第３の部材４０３を、材料が異なるもので構成する。同じ材料の場合は板厚を変えればよい。遮音できる周波数の数を増やすことで、防音効果を高めることができる。
【００３１】
さらに防音効果を高めるため、第１の部材４０１に複数の貫通孔４０４を設けてもよい。カメラ筺体１００の内部に設置された音源２００から伝わる音圧が、第１の部材４０１の貫通孔４０４を通過する際、空気と貫通孔４０４の断面に摩擦が発生し、エネルギーが損失されるため（吸音原理）、更なる防音効果を得ることができる。
【００３２】
図６は本実施例における熱源３００を表し、図７（Ａ）および（Ｂ）は図３に示す防音・放熱構造のＢ−Ｂ断面図である。図６において、熱源３００の外周の一部には、熱伝導性部材３０１が貼付されている。
【００３３】
図７（Ａ）において、熱源３００は不図示の熱源支持部材により、カメラ筺体１００の内部に設置されている。図７（Ｂ）は図７（Ａ）点線部の部分拡大図となっている。図７（Ｂ）に示すように、熱源３００に貼付された熱伝導性部材３０１と、防音・放熱構造体４００を構成する第１の部材４０１が接触するように防音・放熱構造体４００をカメラ筺体１００に係止することで、熱源３００から発生する熱は、効率的に放熱される。また熱源３００に熱伝導性部材３０１を貼付せず、熱源３００と第１の部材４０１を直接接触するように構成してもよい。また図７（Ｂ）に示すように、熱源３００に近い領域において、防音・放熱構造体４００の断面は第１の部材４０１と第３の部材４０３の２層で構成されている。
【００３４】
このとき、第１の部材４０１の熱伝導率は、第３の部材４０３の熱伝導率よりも高くなるように構成されている。また第１の部材４０１の熱伝導率は、カメラ筺体１００よりも高い方が望ましい。例えば第１の部材４０１は熱伝導率がより高い銅を、第３の部材は銅よりも熱伝導率が低いアルミ二ウムであることが望ましい。さらにカメラ筺体は、第１の部材４０１より熱伝導率が低く、筺体としての剛性を持つマグネシウムであることが望ましい。熱源３００に近接している第１の部材４０１の熱伝導率が高いほど、カメラ筺体１００の内部の発熱は、第１の部材４０１へと早く伝導する。さらに第１の部材４０１から第３の部材４０３へ伝導し、最終的にはカメラ筺体１００から外気へと効率的に放熱される。
【００３５】
以上から、熱伝導性を有する第１の部材４０１および第３の部材４０３の２層で構成されている熱源３００に近い領域では、第２の部材４０２を含めた３層で構成されている領域と比較して、熱伝導のロスが小さい。そのため、防音・放熱構造体４００の断面が一様で、全面から均一的に放熱を行う場合と比べ、熱源が配置されている領域から集中的に放熱することができる。つまり、本発明の実施例の構成により、音源２００に近い領域ではより防音効果を高め、熱源３００に近い領域ではより放熱効果を高めることができる。
【００３６】
次に、図８、図９を用いて本発明の実施例における防音・放熱構造体４００に係止される放熱器５００を説明する。図８は図３に示す防音・放熱構造のＣ−Ｃ断面図である。
【００３７】
図８において、放熱器５００はフィン５０１を有しており、放熱器締結部５０２ａ、５０２ｂによって、防音・放熱構造体４００を構成する第１の部材４０１に係止されている。フィン５０１により、放熱器５００の表面積が拡大され、更なる放熱効果を得ることができる。また図８に示すように、より熱源に近い第１の部材４０１に放熱器５００を係止することにより、カメラ筺体１００の内部の発熱は、外気へと効率的に放熱される。さらに、放熱器５００は第３の部材４０３と接触しているため、第１の部材４０１から第３の部材へ伝わった熱も外気へと放熱される。また、図９は本発明の実施例におけるカメラ外観の正面図を示している。
【００３８】
図９において、６００はカメラ外装、６０１はユーザーがカメラ使用時に握るグリップである。前述した放熱器５００は、グリップ部６０１から離れた位置に設置される。従って、熱源３００から防音・放熱構造体４００、放熱器５００、カメラ外装６００へと伝導する熱は、グリップから離れた位置へ放熱されるため、ユーザーがカメラを使用している際に、不便を感じない構成となっている。
【００３９】
以上、本発明の好ましい実施形態について説明したが、本発明はこれらの実施形態に限定されず、その要旨の範囲内で種々の変形及び変更が可能である。
【符号の説明】
【００４０】
１００  筺体、２００  音源、３００  熱源、３０１  熱伝導性部材、
４００  防音・放熱構造体、４０１  第１の部材、４０２  第２の部材、
４０３  第３の部材、５００  放熱器、６００  外装、６０１  グリップ
【図１】
2016206364.tif 000003
【図２】
2016206364.tif 000004
【図３】
2016206364.tif 000005
【図４】
2016206364.tif 000006
【図５】
2016206364.tif 000007
【図６】
2016206364.tif 000008
【図７（Ａ）】
2016206364.tif 000009
【図７（Ｂ）】
2016206364.tif 000010
【図８】
2016206364.tif 000011
【図９】
2016206364.tif 000012